(57)【要約】【課題】太陽光パネルからの急峻な出力変動に起因するＰＣＳの可動部負担を軽減し、ＰＣＳの長寿命化を図ること。【解決手段】入射した外光を光電変換して発電する太陽光パネル１１０の受光面の少なくとも一部への外光の入射を遮蔽する遮蔽位置と当該受光面の少なくとも一部を開放する開放位置とに選択的に位置づけられる遮蔽部材１２１と、遮蔽部材１２１を遮蔽位置または開放位置に位置づける駆動機構と、を備え、駆動機構によって遮蔽部材１２１を遮蔽位置または開放位置に位置づけることにより、太陽光パネル１１０の受光面に入射する光量を調整する太陽光発電量調整装置１２０を構成した。【選択図】図１
2020174440.tif 000002
【特許請求の範囲】
【請求項１】
入射した外光を光電変換して発電する太陽光パネルの受光面の少なくとも一部への外光の入射を遮蔽する遮蔽位置と当該受光面の少なくとも一部を開放する開放位置とに選択的に位置づけられる遮蔽部材と、
前記遮蔽部材を前記遮蔽位置または前記開放位置に位置づける駆動機構と、
を備えたことを特徴とする太陽光発電量調整装置。
【請求項２】
前記駆動機構は、前記遮蔽部材を、当該遮蔽部材が前記受光面の全面を遮蔽する遮蔽位置と、当該受光面の全面を開放する開放位置と、の間の任意の位置に位置づけることを特徴とする請求項１に記載の太陽光発電量調整装置。
【請求項３】
前記遮蔽部材は、伸張することにより前記遮蔽位置に位置づけられ、収縮することによって前記開放位置に位置づけられる伸縮可能なシート形状をなすことを特徴とする請求項１または２に記載の太陽光発電量調整装置。
【請求項４】
前記遮蔽部材は、
平板形状をなすスラットと、当該スラットを板面に平行な軸心周りに回動可能に支持する支持軸とを備え、
前記駆動機構は、前記スラットを前記支持軸の軸心周りに回動させて前記受光面に対して前記スラットの板面がなす角度を調整することにより前記遮蔽部材を前記遮蔽位置または前記開放位置に位置づけることを特徴とする請求項１または２に記載の太陽光発電量調整装置。
【請求項５】
前記遮蔽部材は、複数設けられ、
前記駆動機構は、複数の前記遮蔽部材のそれぞれを前記遮蔽位置または前記開放位置に位置づけることを特徴とする請求項４に記載の太陽光発電量調整装置。
【請求項６】
前記駆動機構は、前記太陽光パネルによる発電量に応じて、前記遮蔽部材を、前記遮蔽位置または前記開放位置に位置づけることを特徴とする請求項１〜５のいずれか一つに記載の太陽光発電量調整装置。
【請求項７】
入射した外光を光電変換して発電する太陽光パネルと、
前記太陽光パネルの受光面の少なくとも一部を遮蔽する遮蔽位置と当該受光面の少なくとも一部を開放する開放位置とに選択的に位置づけられる遮蔽部材と、
前記遮蔽部材を前記遮蔽位置または前記開放位置に位置づける駆動機構と、
を備えたことを特徴とする太陽光発電装置。
【請求項８】
太陽光発電装置と、当該太陽光発電装置が系統連系された電力系統における周波数を監視する監視装置と、を備えた電力系統システムであって、
前記太陽光発電装置は、
入射した外光を光電変換して発電する太陽光パネルと、
前記太陽光パネルの受光面の少なくとも一部を遮蔽する遮蔽位置と当該受光面の少なくとも一部を開放する開放位置とに選択的に位置づけられる遮蔽部材と、
前記遮蔽部材を遮蔽位置または開放位置に位置づける駆動機構と、
前記監視装置と通信をおこなう通信機構と、を備え、
前記監視装置は、
周波数に基づいて、前記太陽光パネルによる発電量に応じて前記太陽光発電装置との間で通信をおこない、前記遮蔽部材を遮蔽位置または開放位置に位置づける、
ことを特徴とする電力系統システム。
【発明の詳細な説明】
【技術分野】
【０００１】
この発明は、太陽光パネルによる発電量を調整する太陽光発電量調整装置、太陽光発電装置および電力系統システムに関する。
【背景技術】
【０００２】
日本国内においては、再生可能エネルギーの固定価格買い取り制度が導入されて以降、多くの太陽光発電所が建設されている。太陽光発電所は、太陽光パネル、パワーコンディションナー（Ｐｏｗｅｒ  Ｃｏｎｄｉｔｉｏｎｉｎｇ  Ｓｙｓｔｅｍ、以下「ＰＣＳ」という）、連系変電設備などを備えており、発電した直流電力をＰＣＳを用いて交流電力に変換している。ＰＣＳは、発電によって高温になった場合に動作する冷却ファンなどの可動部を備えている。
【０００３】
太陽光発電所からの出力は、日射量が増える昼間に増大し、日射量が低くなる曇天時や太陽光発電が停止する夜間に低下する。このため、電力会社は、太陽光発電所からの出力の増減に応じた、電力の需給バランスを保つための対応をおこなっている。
【０００４】
具体的に、電力会社は、たとえば、太陽光発電所からの出力が増える昼間は、揚水発電所の動力運転（汲み上げ）をしたり、火力発電所からの出力を抑制あるいは停止したりして、電力の需給バランスを保つための対応をおこなっている。また、具体的に、電力会社は、たとえば、太陽光発電所からの出力が減少する夕方から夜間は、揚水発電所の動力運転を発電運転に切り替えたり、火力発電所からの出力を増やしたりして、電力の需給バランスを保つための対応をおこなっている。
【０００５】
電力は、貯蔵することが難しく、需要（需要電力量）と供給（供給電力量）とを常に一致させる必要がある。電力の需要と供給とのバランスの崩れに起因して電力の周波数が乱れ、当該周波数の乱れに乗じた機器の故障を防止するために発電所の運転を停止すると、大規模な停電を生じさせるおそれがある。
【０００６】
一方で、太陽光発電は、日射量が多いなどの発電条件によっては需要以上の発電をおこなうなど、発電量をコントロールすることが難しい。また、大容量出力の太陽光発電所は山間部に建設されていることが多く、日射量が多い場合にも、太陽光パネルにおける積雪により発電が制限されることがあり、発電量をコントロールすることが難しい。
【０００７】
従来、電力供給量が電力需要量を大きく超えないように、太陽光発電による発電量に応じて、電力会社が太陽光発電所を管理する発電事業者に対して当該太陽光発電所からの出力停止や出力抑制を要請するなどして、太陽光発電所からの出力を制限する必要があった。
【０００８】
関連する技術として、具体的には、従来、たとえば、太陽光パネルの異常が検知されたときに、太陽光パネルのパネル表面を遮光する遮光装置を稼働させることによって太陽光パネルを遮光して、発電を停止させるようにした太陽光パネルの遮光システムに関する技術があった（たとえば、下記特許文献１を参照。）。
【０００９】
また、関連する技術として、具体的には、従来、たとえば、太陽電池パネルが発電した電力で駆動されるモータが回転することによる回転力を蓄勢する渦巻きばねにより、受光面が垂直になる状態と太陽に向かう傾斜状態との間で、太陽電池パネルの傾斜角度を調整するようにした太陽光発電装置に関する技術があった（たとえば、下記特許文献２を参照。）。
【００１０】
また、関連する技術として、具体的には、従来、たとえば、遮光板で東側と西側とに仕切られた左右一対の太陽光セルモジュールを搭載したパネルを、南北方向に軸支された回動軸周りに、左右の太陽光セルからの出力が均衡するように回動させることによって、太陽を追尾し、発電効率を高めるとともに専有面積の最小化を図るようにした差電圧駆動式太陽追尾ソーラー発電装置に関する技術があった（たとえば、下記特許文献３を参照。）。
【００１１】
また、関連する技術として、具体的には、従来、たとえば、互いに向き合うように緩やかな角度で傾斜させた２対のソーラパネルを仰角方向および方位角方向に回動可能とし、一方ソーラパネル対を方位角方向に向き合うように配列し、他方の１対のソーラパネル対を仰角方向に向き合うように配列し、各ソーラパネル対におけるソーラパネルどうしの出力の差を最小にするように仰角および方位角をそれぞれ制御するようにした太陽光自動追尾装置に関する技術があった（たとえば、下記特許文献４を参照。）。
【先行技術文献】
【特許文献】
【００１２】
【特許文献１】特開２０１５−１０３５８９号公報
【特許文献２】特開２０１３−１９７２５３号公報
【特許文献３】特開２００４−１４６７５９号公報
【特許文献４】特開平６−２５０７３９号公報
【発明の概要】
【発明が解決しようとする課題】
【００１３】
しかしながら、上述した従来の技術は、いずれも、日射量が多いことに起因する需要以上の発電をコントロールすることができないため、太陽光パネルに併設されるＰＣＳが備える冷却ファンなどの可動部の摩耗などに起因する劣化を抑えることが難しく、天候変更にともなう急峻な出力変動が多く発生すると、ＰＣＳの可動部の負担を高め、ＰＣＳの寿命を短くしてしまうという問題があった。
【００１４】
また、上述したように、太陽光発電所からの出力停止や出力抑制の要請に応じて当該太陽光発電所からの出力を制限する出力制御をおこなう従来の技術は、太陽光発電による発電量の増減に起因する、電力系統における需給と供給のバランスの崩れを防止することが難しいという問題があった。
【００１５】
具体的に、出力制御をおこなう上述した従来の技術は、太陽光発電所単位で出力制御をおこなうため、出力制御によって変動する電力系統における周波数の変動幅が大きく、出力制御のみでは電力系統における需給と供給のバランスを維持することが難しいという問題があった。
【００１６】
また、具体的に、出力制御をおこなう上述した従来の技術は、発電されているにもかかわらず廃棄される電力が発生する一方で、出力制御によって変動する電力系統における周波数の変動幅が大きく、電力系統における需給と供給のバランスの維持管理が煩雑であって無駄が多いという問題があった。
【００１７】
また、上述した特許文献１〜４に記載された従来の技術は、いずれも、太陽光発電による発電量の増減に起因する、電力系統における需給と供給のバランスの崩れを防止することができないという問題があった。このため、太陽光発電による発電量の増減に起因する、電力系統における需給と供給のバランスの崩れに起因して生じる各種の不具合を防止することが難しいという問題があった。
【００１８】
具体的に、上述した特許文献１に記載された従来の技術は、太陽光パネルに発生した異常を検知した場合に、遮光装置を駆動して、他の太陽光パネルよりも発電量が低下している太陽光パネルのパネル表面を覆い、発電量が低下している太陽光パネルによる発電を停止させることによって、発電量が低下しているセルに通電し続けることに起因する火災を防止することを目的としており、太陽光発電による発電量の増減に起因する、電力系統における需給と供給のバランスの崩れを防止することができない。
【００１９】
また、具体的に、上述した特許文献２〜４に記載された従来の技術は、いずれも、入射角（太陽光パネル面に対する垂線に対して、太陽光パネルに入射する太陽光がなす角度）を０度に近づけ、限られた太陽光のエネルギーを極力発電に利用することを目的としており、太陽光発電による発電量の増減に起因する、電力系統における需給と供給のバランスの崩れを防止することができない。
【００２０】
この発明は、上述した従来技術による問題点を解消するため、太陽光パネルからの急峻な出力変動に起因するＰＣＳの可動部負担を軽減し、ＰＣＳの長寿命化を図ることができる太陽光発電量調整装置、太陽光発電装置および電力系統システムを提供することを目的とする。
【００２１】
また、この発明は、上述した従来技術による問題点を解消するため、電力系統における需給と供給のバランスを維持することができる太陽光発電量調整装置、太陽光発電装置および電力系統システムを提供することを目的とする。
【課題を解決するための手段】
【００２２】
上述した課題を解決し、目的を達成するため、この発明にかかる太陽光発電量調整装置は、入射した外光を光電変換して発電する太陽光パネルの受光面の少なくとも一部への外光の入射を遮蔽する遮蔽位置と当該受光面の少なくとも一部を開放する開放位置とに選択的に位置づけられる遮蔽部材と、前記遮蔽部材を前記遮蔽位置または前記開放位置に位置づける駆動機構と、を備えたことを特徴とする。
【００２３】
また、この発明にかかる太陽光発電量調整装置は、上記の発明において、前記駆動機構が、前記遮蔽部材を、当該遮蔽部材が前記受光面の全面を遮蔽する遮蔽位置と、当該受光面の全面を開放する開放位置と、の間の任意の位置に位置づけることを特徴とする。
【００２４】
また、この発明にかかる太陽光発電量調整装置は、上記の発明において、前記遮蔽部材が、伸張することにより前記遮蔽位置に位置づけられ、収縮することによって前記開放位置に位置づけられる伸縮可能なシート形状をなすことを特徴とする。
【００２５】
また、この発明にかかる太陽光発電量調整装置は、上記の発明において、前記遮蔽部材が、平板形状をなすスラットと、当該スラットを板面に平行な軸心周りに回動可能に支持する支持軸とを備え、前記駆動機構が、前記スラットを前記支持軸の軸心周りに回動させて前記受光面に対して前記スラットの板面がなす角度を調整することにより前記遮蔽部材を前記遮蔽位置または前記開放位置に位置づけることを特徴とする。
【００２６】
また、この発明にかかる太陽光発電量調整装置は、上記の発明において、前記遮蔽部材が、複数設けられ、前記駆動機構が、複数の前記遮蔽部材のそれぞれを前記遮蔽位置または前記開放位置に位置づけることを特徴とする。
【００２７】
また、この発明にかかる太陽光発電量調整装置は、上記の発明において、前記駆動機構は、前記太陽光パネルによる発電量に応じて、前記遮蔽部材を、前記遮蔽位置または前記開放位置に位置づけることを特徴とする。
【００２８】
また、この発明にかかる太陽光発電装置は、入射した外光を光電変換して発電する太陽光パネルと、前記太陽光パネルの受光面の少なくとも一部を遮蔽する遮蔽位置と当該受光面の少なくとも一部を開放する開放位置とに選択的に位置づけられる遮蔽部材と、前記遮蔽部材を前記遮蔽位置または前記開放位置に位置づける駆動機構と、を備えたことを特徴とする。
【００２９】
また、この発明にかかる電力系統システムは、太陽光発電装置と、当該太陽光発電装置が系統連系された電力系統における周波数を監視する監視装置と、を備えた電力系統システムであって、前記太陽光発電装置が、入射した外光を光電変換して発電する太陽光パネルと、前記太陽光パネルの受光面の少なくとも一部を遮蔽する遮蔽位置と当該受光面の少なくとも一部を開放する開放位置とに選択的に位置づけられる遮蔽部材と、前記遮蔽部材を遮蔽位置または開放位置に位置づける駆動機構と、前記監視装置と通信をおこなう通信機構と、を備え、前記監視装置が、周波数に基づいて、前記太陽光パネルによる発電量に応じて前記太陽光発電装置との間で通信をおこない、前記遮蔽部材を遮蔽位置または開放位置に位置づける、ことを特徴とする。
【発明の効果】
【００３０】
この発明にかかる太陽光発電量調整装置、太陽光発電装置および電力系統システムによれば、太陽光パネルからの急峻な出力変動に起因するＰＣＳの可動部負担を軽減し、ＰＣＳの長寿命化を図ることができるという効果を奏する。
【００３１】
また、この発明にかかる太陽光発電量調整装置、太陽光発電装置および電力系統システムによれば、電力系統における需給と供給のバランスを維持することができるという効果を奏する。
【図面の簡単な説明】
【００３２】
【図１】この発明にかかる実施の形態１の太陽光発電装置の構成を示す説明図（その１）である。
【図２】この発明にかかる実施の形態１の太陽光発電装置の構成を示す説明図（その２）である。
【図３Ａ】太陽光発電量調整装置のハードウエア構成を示す説明図である。
【図３Ｂ】制御部のハードウエア構成を示す説明図である。
【図４】太陽光発電量調整装置の処理手順を示すフローチャートである。
【図５】この発明にかかる実施の形態２の太陽光発電装置の構成を示す説明図である。
【図６】この発明にかかる実施の形態３の太陽光発電装置の構成を示す説明図（その１）である。
【図７】この発明にかかる実施の形態３の太陽光発電装置の構成を示す説明図（その２）である。
【発明を実施するための形態】
【００３３】
以下に添付図面を参照して、この発明にかかる太陽光発電量調整装置の好適な実施の形態を詳細に説明する。
【００３４】
＜実施の形態１＞
（太陽光発電装置の構成）
まず、この発明にかかる実施の形態１の太陽光発電装置の構成について説明する。図１および図２は、この発明にかかる実施の形態１の太陽光発電装置の構成を示す説明図である。
【００３５】
図１において、この発明にかかる実施の形態１の太陽光発電装置１００は、太陽光パネル１１０と、太陽光発電量調整装置１２０と、を備えている。太陽光パネル１１０は、複数の太陽光セル１１１を同一面に配置して構成されたモジュール１１２を、複数枚板状に配列して互いに連結することによって構成されている。
【００３６】
太陽光セル１１１は、それぞれ、プラスを帯びやすいＰ型シリコン半導体とマイナスを帯びやすいＮ型シリコン半導体とを、ＰＮ接合面を介して張り合わせることによって構成されている。各太陽光セル１１１においては、太陽光などの外光による光エネルギーがＰＮ接合面に加わると、Ｐ型シリコン半導体はプラスを帯び、Ｎ型シリコン半導体はマイナスを帯びる。太陽光セル１１１において、Ｐ型シリコン半導体およびＮ型シリコン半導体にはそれぞれ電極が接続されている。太陽光セル１１１において発電した電力は、当該電極にそれぞれ接続された電線を介して取り出すことができる。
【００３７】
太陽光発電量調整装置１２０は、遮蔽部材１２１と、駆動機構（図示を省略する）と、を備えている。遮蔽部材１２１は、細長い長方形の板状部材をなすスラット１２１ａを複数備え、各スラット１２１ａを長辺どうしで接続することによって長さ方向に沿って山折りと谷折りとが交互に連続する折りたたみ構造（蛇腹構造）をなす。各スラット１２１ａどうしは、蝶番あるいは可撓性を呈する合成高分子材料などによって接続されている。
【００３８】
遮蔽部材１２１は、太陽光を遮光する遮光性の材料を用いて形成されている。具体的に、遮蔽部材１２１は、たとえば、黒色顔料などの光を吸収する材料を分散させたプラスチック、アルミニウムなどの金属材料によって形成することができる。あるいは、遮蔽部材１２１は、たとえば、遮光性を呈する材料によって形成されたシート状部材の一面に、細長い長方形の板状部材をなすスラット１２１ａを所定間隔を空けた状態で並べて配置することによって形成してもよい。あるいは、遮蔽部材１２１は、２枚を重ね合わせた長尺状のシート状部材を、長さ方向に沿って複数に区切った、いわゆる、ビーチエアーマットのような構成であってもよい。
【００３９】
遮蔽部材１２１には、遮蔽部材１２１の長辺（各スラット１２１ａにおける短辺）から、遮蔽部材１２１の長さ方向に直交する方向（各スラット１２１ａの長辺方向）に沿って突出する支持部材（図示を省略する）が設けられている。支持部材は、遮蔽部材１２１の長さ方向において複数出現するスラット１２１ａどうしの接続位置のうち、１つおきに設けられている。支持部材は、たとえば、金属材料などの所定の硬度および強度を備えた材料を用いて形成された棒形状をなす。
【００４０】
遮蔽部材１２１は、枠体１３０によって支持されている。枠体１３０は、長方形状をなすソーラーパネルの外周縁に沿って設けられ、長方形状をなす。枠体１３０は、それぞれ正対する２組の枠部材１３１（１３１ａ、１３１ｂ）、１３２（１３２ａ、１３２ｂ）によって構成されている。２組の枠部材のうち、枠体１３０における長辺を構成する１組の枠部材１３１（１３１ａ、１３１ｂ）には、枠体１３０の内周側となる位置に溝１３３が形成されている。溝１３３は、枠体１３０における長辺の長さ方向に沿って連続している。溝１３３内において、枠体１３０における短辺を構成する１組の枠部材のうちの一方の枠部材側の端部には、フリー回転するローラ（図示を省略する）が設けられている。
【００４１】
遮蔽部材１２１は、枠体１３０に設けられた溝１３３に支持部材を挿入することによって、枠体１３０における長辺を構成する１組の枠部材１３１の間に架け渡されている。支持部材は、溝１３３内において、溝１３３の長さ方向に沿ってスライド可能に挿入されている。
【００４２】
枠体１３０における短辺を構成する１組の枠部材１３２（１３２ａ、１３２ｂ）のうちの一方の枠部材１３２ａは、内側に空間（図示を省略する）を備えた箱形状をなす。一方の枠部材１３２ａの内側には、ギア対が設けられている（いずれも図示を省略する）。ギア対は、一方の枠部材１３２ａの長さ方向における両端に、それぞれ設けられている。
【００４３】
２つのギア対を構成する各ギアのうち、各ギア対における一方のギアどうしは、シャフト（図示を省略する）によって連結されている。また、２つのギア対を構成する各ギアのうち、各ギア対における他方のギアどうしは、別のシャフト（図示を省略する）によって連結されている。シャフトと別のシャフトとは、一方の枠部材１３２ａの内側において、それぞれがスラット１２１ａの長辺と平行な方向に沿って配置されている。
【００４４】
これにより、２つのギア対のうちのいずれか一方のギア対を構成するギアが回転すると、他方のギア対を構成するギアが連動して回転する。シャフトおよび別のシャフトには、遮蔽部材１２１をスライドさせる駆動機構を構成する駆動ワイヤの端部が固定されている。
【００４５】
また、一方の枠部材１３２ａの内側には、２つのギア対のうちの一方のギア対に連結されたモータ（図３Ａを参照）が設けられている。モータは、正逆回転自在であって、一方のギア対を構成する各ギアと噛み合わされており、回転することによって一方のギア対を構成する各ギアを正回転または逆回転させる。モータは、制御部（図３Ａおよび図３Ｂを参照）によって駆動制御される。
【００４６】
駆動ワイヤは、一端が、各ギア対における一方のギアどうしを連結するシャフトに固定されている。また、駆動ワイヤは、他端が、各ギア対における他方のギアどうしを連結する別のシャフトに固定されている。駆動ワイヤは、シャフトから、フリー回転するローラを介して別のシャフトに引き回されるようにして、溝１３３内において、溝１３３の長さ方向に沿って張り渡されている。駆動ワイヤは、溝１３３の長さと同程度の長さの余長を備え、余長分はシャフトまたは別のシャフトに巻回されている。
【００４７】
支持部材は、それぞれ、駆動ワイヤの長さ方向に沿って所定の間隔を空けて駆動ワイヤに連結されている。支持部材のうち、枠体１３０における短辺を構成する１組の枠部材１３２のうちの他方の枠部材１３２ｂにもっとも近い支持部材は、駆動ワイヤに対する位置が固定されている。残余の支持部材は、それぞれ、隣り合う支持部材に対して接離する方向にスライド可能な状態で駆動ワイヤに連結されている。
【００４８】
モータを正回転させると、ギア対を構成する各ギアが正回転し、シャフトから駆動ワイヤが繰り出され、繰り出された長さ分の駆動ワイヤが別のシャフトに巻き取られる。これにより、駆動ワイヤに連結された支持部材が駆動ワイヤに引っ張られて溝１３３に沿ってスライドする。同様に、モータを逆回転させると、ギア対を構成する各ギアが逆回転し、別のシャフトから駆動ワイヤが繰り出され、繰り出された長さ分の駆動ワイヤがシャフトに巻き取られる。これにより、駆動ワイヤに連結された支持部材が駆動ワイヤに引っ張られて溝１３３に沿ってスライドする。
【００４９】
遮蔽部材１２１は、支持部材を溝１３３に沿ってスライドさせることによって、受光面を開放する開放位置と、受光面の少なくとも一部を遮蔽する遮蔽位置と、に選択的に位置づけられる。遮蔽部材１２１は、開放位置に位置づけられている場合、図２に示すように、遮蔽部材１２１を構成するすべてのスラット１２１ａの板面が太陽光パネル１１０の受光面に平行な状態となる。
【００５０】
遮蔽部材１２１は、遮光位置において、太陽光パネル１１０の受光面の少なくとも一部を遮蔽する。遮蔽部材１２１は、太陽光パネル１１０の受光面の全部を遮蔽する全遮蔽位置と、太陽光パネル１１０の受光面の全部を開放する開放位置と、の間の任意の位置に位置づけられる。遮蔽部材１２１は、全遮蔽位置に位置づけられている場合、遮蔽部材１２１を構成するすべてのスラット１２１ａの板面が鉛直方向に平行な状態となる。シャフトおよび別のシャフトに巻回された余長分の駆動ワイヤを繰り出したり巻き取ったりすることによって、遮光位置と開放位置との間における任意の位置に、遮蔽部材１２１を位置づけることができる。
【００５１】
（太陽光発電量調整装置１２０のハードウエア構成）
つぎに、太陽光発電量調整装置１２０のハードウエア構成について説明する。図３Ａは、太陽光発電量調整装置１２０のハードウエア構成を示す説明図である。図３Ａにおいては、太陽光発電設備のハードウエア構成をあわせて示している。図３Ａに示すように、太陽光発電量調整装置１２０は、遮蔽部材１２１と、モータ３０１と、制御部３０２と、を備えている。
【００５２】
モータ３０１は、制御部３０２によって駆動制御されて、正回転または逆回転する。制御部３０２は、モータ３０１に出力するパルス数によって、モータ３０１の回転量を調整することができる。これにより、遮蔽部材１２１の開度を制御することができる。遮蔽部材１２１の開度は、遮蔽部材１２１が全遮蔽位置に位置づけられている状態の開度を「０」とし、遮蔽部材１２１が全開放位置に位置づけられている状態の開度を「１００」とした場合の割合によってあらわすことができる。
【００５３】
太陽光発電設備３１０は、太陽光パネル１１０、接続箱３１１、ＰＣＳ３１２、電力メータ３１３などを備えている。接続箱３１１は、太陽光パネル１１０における太陽電池モジュール１１２で発電した直流の電力を集めてＰＣＳ３１２へ送り出す。接続箱３１１は、開閉器、逆流防止素子、避雷素子などを備えている。
【００５４】
開閉器は、モジュール１１２ごとに設けられており、モジュール１１２ごとに回路の切り替えをおこなう。逆流防止素子は、影になって電圧が低くなった場合に他のモジュール１１２からの電流が流れないように、モジュール１１２を保護する。避雷素子は、落雷による機器の損傷を防止する。
【００５５】
ＰＣＳ３１２は、接続箱３１１を経由することにより１つに集約された電力（直流の電力）を、交流の電力に変換して出力する。具体的に、ＰＣＳ３１２は、たとえば、インバーターや、インバーターを制御する制御部３０２などを備えている。太陽光パネル１１０が出力する直流の電力の周波数は０であるため、制御部３０２は、太陽光パネル１１０が出力する直流の電力を交流の電力に変換して出力する。インバーターは、直流を交流に変換する際に極性を切り替えるトランジスタを備えている。制御部３０２は、インバーターにおける極性の切り替えのタイミングを、電気事業者の配電線網におけるタイミング信号に合わせることにより、周波数および位相を電気事業者の配電線網における電力に揃える。
【００５６】
また、ＰＣＳ３１２は、図示を省略する冷却ファンを備えている。ＰＣＳ３１２の制御部３０２は、直流を交流に変換することに起因する発熱が発生した場合に冷却ファンを回転駆動して吸気し、発熱部を空冷する。ＰＣＳは、ＰＣＳ３１２の内部にゴミなどの異物の侵入を防止するための防塵フィルタを介して吸気する。
【００５７】
電力メータ３１３は、電力系統に出力した電力を計測（計量）する。電力メータ３１３は、汎用的な、買電用の電力メータ３１３と同様に、電圧変換部、電流変換部、電力演算部、中央制御部、表示部、電源部などを備えている。また、電力メータ３１３は、逆回転防止機構を備えている。
【００５８】
電力メータ３１３が、たとえば、誘導型電力量計である場合、逆回転防止機構は、円板の回転を止めるストッパーによって実現することができる。また、電力メータ３１３が、たとえば、電子式電力量計である場合、逆回転防止機構は、逆方向（電力系統からＰＣＳ３１２へ向かう方向）の電力を計量しないよう制御することによって実現することができる。電力メータ３１３による計測値は、太陽光発電量調整装置１２０に出力される。
【００５９】
（制御部３０２のハードウエア構成）
つぎに、制御部３０２のハードウエア構成について説明する。図３Ｂは、制御部３０２のハードウエア構成を示す説明図である。図３Ｂに示すように、制御部３０２は、ＣＰＵ３２１、メモリ３２２、入出力Ｉ／Ｆ（ＩｎｔｅｒＦａｃｅ）３２３によって構成されている。ＣＰＵ３２１は、入出力Ｉ／Ｆ３２３を介して入力を受け付けた情報に基づいて、メモリ３２２に記憶された各種制御プラグラムを実行することによって、入出力Ｉ／Ｆ３２３を介して接続されたモータ３０１を制御する。
【００６０】
メモリ３２２は、ＣＰＵ３２１が実行する制御プログラムに加えて、たとえば、後述する発電量の判断に用いる閾値や、遮蔽部材１２１の現在の開度に関する情報を記憶する。遮蔽部材１２１の現在の開度に関する情報は、遮蔽部材１２１の現在の開度を示す数値であってもよく、モータ３０１の駆動方向および駆動量を示す値であってもよい。
【００６１】
具体的に、入出力Ｉ／Ｆ３２３は、電力メータ３１３から出力される電力値の入力を受け付ける。ＣＰＵ３２１は、入力を受け付けた電力値が、あらかじめ設定された閾値より大きい場合に、遮蔽部材１２１を遮蔽位置に位置づけるようにモータ３０１を駆動制御する。
【００６２】
ＣＰＵ３２１は、入力を受け付けた電力値が、あらかじめ設定された閾値より大きい場合、太陽光パネル１１０から出力される電力が当該閾値以下になるように、受光面を遮光する遮光量を算出し、算出結果に基づいてモータ３０１を駆動してもよい。これにより、太陽光パネル１１０からの出力を過剰に抑制することなく、太陽光パネル１１０による発電をおこなわせることができる。
【００６３】
（太陽光発電量調整装置１２０の処理手順）
つぎに、太陽光発電量調整装置１２０の処理手順について説明する。図４は、太陽光発電量調整装置１２０の処理手順を示すフローチャートである。図４のフローチャートにおいて、まず、太陽光パネル１１０による発電量を特定する（ステップＳ４０１）。ステップＳ４０１においては、たとえば、入出力Ｉ／Ｆ３２３を介して入力を受け付けた電力値を、発電量として特定する。
【００６４】
つぎに、ステップＳ４０１において特定した発電量が、あらかじめ設定された閾値より大きいか否かを判断する（ステップＳ４０２）。ステップＳ４０２において、ステップＳ４０１において特定した発電量が、あらかじめ設定された閾値より小さい場合（ステップＳ４０２：Ｎｏ）、ステップＳ４０１へ戻り、発電量を特定する。
【００６５】
一方、ステップＳ４０２において、ステップＳ４０１において特定した発電量が、あらかじめ設定された閾値より大きい場合（ステップＳ４０２：Ｙｅｓ）、遮蔽部材１２１の開度を特定する（ステップＳ４０３）。ステップＳ４０３においては、たとえば、メモリ３２２を参照して、遮蔽部材１２１の現在の開度に関する情報を取得し、現在の開度とステップＳ４０１において特定した発電量とに基づいて、遮蔽部材１２１の開度を特定する。具体的に、ステップＳ４０３においては、たとえば、現在の開度から減少させる開度を算出し、算出された開度に基づいて、モータ３０１の駆動量を算出する。
【００６６】
そして、ステップＳ４０３において特定された開度に基づいて、モータ３０１を駆動する（ステップＳ４０４）。ステップＳ４０４においては、ステップＳ４０３において算出されたモータ３０１の駆動量に相当する分、モータ３０１を駆動する。これにより、遮蔽部材１２１が遮蔽位置側へ移動し、太陽光パネル１１０の受光面において遮蔽部材１２１によって覆われる面積が増加する。
【００６７】
その後、ステップＳ４０４においてモータ３０１を駆動してから所定時間が経過したか否かを判断する（ステップＳ４０５）。ステップＳ４０５においては、制御部３０２のＣＰＵ３２１が備える計時機能によって、モータ３０１を駆動してからの経過時間を計時し、計時される経過時間が所定時間に達したか否かを判断する。
【００６８】
ステップＳ４０５において、ステップＳ４０４においてモータ３０１を駆動してから所定時間が経過していない場合（ステップＳ４０５：Ｎｏ）、ステップＳ４０４に戻り、所定時間が経過するまで待機する。一方、ステップＳ４０５において、ステップＳ４０４においてモータ３０１を駆動してから所定時間が経過した場合（ステップＳ４０５：Ｙｅｓ）、ステップＳ４０１へ移行して、発電量を特定する。
【００６９】
これにより、ステップＳ４０４においてモータ３０１を駆動して遮蔽部材１２１の開度を調整することによって、太陽光パネル１１０による発電量が閾値を下回ったか否かを判断することができる。そして、遮蔽部材１２１の開度を調整しても太陽光パネル１１０による発電量が閾値を下回っていない場合は、再度、遮蔽部材１２１の開度を調整することができる。これによって、太陽光パネル１１０による発電量を、確実に閾値よりも少なくすることができる。
【００７０】
この発明にかかる実施の形態の形態１の太陽光発電量調整装置１２０においては、遮蔽部材１２１が、折りたたみ構造（蛇腹構造）をなし、太陽光パネル１１０を連続的に覆うことができるため、太陽光パネル１１０の受光面に、積雪や雨水が溜まることを防止できる。これにより、積雪や雨水が溜まることによって発電量が低下することを抑制することができる。
【００７１】
以上説明したように、この発明にかかる実施の形態１の太陽光発電装置１００が備える太陽光発電量調整装置１２０は、入射した外光を光電変換して発電する太陽光パネル１１０の受光面の少なくとも一部への外光の入射を遮蔽する遮蔽位置と当該受光面の少なくとも一部を開放する開放位置とに選択的に位置づけられる遮蔽部材１２１と、遮蔽部材１２１を遮蔽位置または開放位置に位置づける駆動機構と、を備えたことを特徴としている。
【００７２】
この発明にかかる実施の形態１の太陽光発電量調整装置１２０によれば、駆動機構によって遮蔽部材１２１を遮蔽位置または開放位置に位置づけることにより、太陽光パネル１１０の受光面に入射する光量を調整することができる。これにより、太陽光パネル１１０による発電量を調整することができるので、天候変更などにともなう太陽光パネル１１０からの急峻な出力変動に起因するＰＣＳの可動部負担を軽減し、ＰＣＳ３１２の長寿命化を図ることができる。
【００７３】
また、この発明にかかる実施の形態１の太陽光発電量調整装置１２０によれば、既設の太陽光パネル１１０に後付けすることができるので、太陽光発電所における既設の太陽光発電設備３１０における出力を完全に停止することなく制御することができる。これにより、太陽光発電設備３１０を有効に利用して、再生可能エネルギーの活用促進を図ることができる。
【００７４】
また、この発明にかかる実施の形態１の太陽光発電量調整装置１２０は、駆動機構が、太陽光パネル１１０による発電量に応じて、遮蔽部材１２１を、遮蔽位置または開放位置に位置づけることを特徴としている。
【００７５】
この発明にかかる実施の形態１の太陽光発電量調整装置１２０によれば、太陽光パネル１１０による発電量に応じて、駆動機構によって遮蔽部材１２１を遮蔽位置または開放位置に位置づけることにより、太陽光パネル１１０の受光面に入射する光量を調整することができる。これにより、太陽光パネル１１０による発電量に応じて、太陽光パネル１１０による発電量を調整することができるので、天候変更にともなう太陽光パネル１１０からの急峻な出力変動を抑制することができる。
【００７６】
これによって、出力制御によって電力系統における周波数の変動幅が大きく変動することを抑制し、電力系統における需給と供給のバランスを維持することができる。そして、これによって、周波数の乱れに乗じた機器の故障を防止するための発電所の運転停止を回避することができ、大規模な停電が発生することを防止して、電力の安定供給を実現することができる。
【００７７】
また、この発明にかかる実施の形態１の太陽光発電量調整装置１２０によれば、水力発電や火力発電と同等の周波数制御をおこなうことができる。これにより、太陽光発電設備３１０を有効に利用して、再生可能エネルギーの活用促進を図ることができる。
【００７８】
また、この発明にかかる実施の形態１の太陽光発電量調整装置１２０は、駆動機構が、遮蔽部材１２１を、当該遮蔽部材１２１が受光面の全面を遮蔽する遮蔽位置と、当該受光面の全面を開放する開放位置と、の間の任意の位置に位置づけることを特徴としている。
【００７９】
この発明にかかる実施の形態１の太陽光発電量調整装置１２０によれば、遮蔽部材１２１の移動範囲を広く確保することにより、太陽光パネル１１０の受光面に入射する光量の調整幅を広く確保することができる。これにより、太陽光パネル１１０による発電量の調整幅を広く確保して、天候変更にともなう太陽光パネル１１０からの急峻な出力変動をより確実に抑制することができる。
【００８０】
また、この発明にかかる実施の形態１の太陽光発電装置１００は、入射した外光を光電変換して発電する太陽光パネル１１０と、太陽光パネル１１０の受光面の少なくとも一部を遮蔽する遮蔽位置と当該受光面の少なくとも一部を開放する開放位置とに選択的に位置づけられる遮蔽部材１２１と、太陽光パネル１１０による発電量に応じて遮蔽部材１２１を遮蔽位置または開放位置に位置づける駆動機構と、を備えたことを特徴としている。
【００８１】
この発明にかかる実施の形態１の太陽光発電装置１００によれば、太陽光パネル１１０と太陽光発電量調整装置１２０とをあらかじめユニット化しておくことにより、現場における取り扱いの容易化を図り、太陽光発電装置１００の設置にかかる作業者の負担軽減を図ることができる。また、あらかじめユニット化しておくことにより、設置に際して、遮蔽部材１２１を全遮蔽位置に位置づけておくことで、太陽光パネル１１０の損傷を防止することができる。
【００８２】
＜実施の形態２＞
（太陽光発電装置の構成）
つぎに、この発明にかかる実施の形態２の太陽光発電装置の構成について説明する。実施の形態２においては、上述した実施の形態１と同一部分は同一符号で示し、説明を省略する。図５は、この発明にかかる実施の形態２の太陽光発電装置の構成を示す説明図である。
【００８３】
図５に示すように、この発明にかかる実施の形態２の太陽光発電装置５００は、太陽光パネル１１０と、太陽光発電量調整装置５２０と、を備えている。太陽光発電量調整装置５２０は、遮蔽部材５２１が、シート形状をなす。遮蔽部材５２１は、太陽光パネル１１０の受光面と略同一の形状をなす。遮蔽部材５２１は、枠体１３０における短辺を構成する１組の枠部材１３２のうちの他方の枠部材１３２ｂ側の位置において、スライダ５２２を介して、枠部材１３１に取り付けられている。
【００８４】
スライダ５２２は、一部が、枠体１３０の外側となる位置に形成された、枠体１３０における長辺を構成する１組の枠部材１３１の長さ方向に沿って連続する溝５２３に係合している。スライダ５２２は、溝５２３に係合した状態で、枠部材１３１に沿ってスライド可能に設けられている。
【００８５】
一方の枠部材１３２ａの内側には、上記と同様に、ギア対やフリー回転するローラが設けられている。また、溝５２３の内側には、上記と同様にして駆動ワイヤが引き回されている。駆動ワイヤの余長分は、上記と同様に、シャフトまたは別のシャフトに巻回されている。
【００８６】
遮蔽部材５２１は、遮蔽位置に位置づけられている状態においては、２つのギア対を構成する各ギアのうちの一方のギアどうしを連結するシャフトに巻回される。そして、モータ３０１を正回転すると、ギア対を構成する各ギアが正回転し、シャフトから駆動ワイヤが繰り出され、繰り出された長さ分の駆動ワイヤが別のシャフトに巻き取られる。これにより、駆動ワイヤに連結されたシート形状をなす遮蔽部材５２１が、駆動ワイヤに引っ張られて開放位置から遮蔽位置に引き出される。
【００８７】
同様に、モータ３０１を逆回転させると、ギア対を構成する各ギアが逆回転し、別のシャフトから駆動ワイヤが繰り出され、繰り出された長さ分の駆動ワイヤがシャフトに巻き取られる。これにより、駆動ワイヤに連結されたシート形状をなす遮蔽部材５２１が、駆動ワイヤに引っ張られて遮蔽位置から開放位置に引き出される。
【００８８】
この発明にかかる実施の形態２の太陽光発電装置５００においては、遮蔽部材５２１がシート形状をなすため、全開放位置から全遮蔽位置までの間の任意の位置においてモータ３０１を停止し、遮蔽部材５２１の開度を無段階に調整することができる。これにより、太陽光パネル１１０による発電量を細かく調整することができ、天候変更にともなう太陽光パネル１１０からの急峻な出力変動をより確実に抑制することができる。
【００８９】
以上説明したように、この発明にかかる実施の形態２の太陽光発電装置５００が備える太陽光発電量調整装置５２０は、遮蔽部材５２１が、伸張することにより遮蔽位置に位置づけられ、収縮することによって開放位置に位置づけられる伸縮可能なシート形状をなすことを特徴としている。
【００９０】
この発明にかかる実施の形態２の太陽光発電装置５００が備える太陽光発電量調整装置５２０によれば、シート状部材を巻回したり繰り出したりして伸縮させることによって、太陽光パネル１１０の受光面に入射する光量を調整することにより、太陽光発電量調整装置５２０の小型化や取り扱いの容易化を図ることができる。これにより、取り付けや管理にかかる作業者の負担軽減を図ることができる。
【００９１】
＜実施の形態３＞
（太陽光発電装置の構成）
つぎに、この発明にかかる実施の形態３の太陽光発電装置の構成について説明する。実施の形態３においては、上述した実施の形態１および実施の形態２と同一部分は同一符号で示し、説明を省略する。図６および図７は、この発明にかかる実施の形態３の太陽光発電装置の構成を示す説明図である。
【００９２】
図６および図７に示すように、この発明にかかる実施の形態３の太陽光発電装置６００は、太陽光パネル１１０と、太陽光発電量調整装置６２０と、を備えている。太陽光発電量調整装置６２０は、ルーバー状の遮蔽部材６２１を備えている。遮蔽部材６２１は、平板形状をなすスラット６２１ａを複数備えている。
【００９３】
この実施の形態３において、各スラット６２１ａは、それぞれ、細長い長方形の板状部材によって実現される。各スラット６２１ａは、枠体１３０における長辺を構成する１組の枠部材１３１の対向方向を軸心方向とする支持軸６２２を介して、当該１組の枠部材の間に架け渡されている。
【００９４】
枠体１３０における長辺を構成する１組の枠部材１３１は、各スラット６２１ａにおける支持軸６２２の両端を、各スラット６２１ａが支持軸６２２の軸心周りに回動可能な状態で支持する。各スラット６２１ａにおける支持軸６２２には、枠体１３０における長辺を構成する１組の枠部材１３１のうちの一方の枠部材側の端部に連動ギアが設けられている。連動ギアは、互いに連結されている。連動ギアは、連動ギアどうしを直接噛み合わせることによって連結されていてもよく、中継ギアを介して連結されていてもよい。
【００９５】
複数の連動ギアのうち、枠体１３０における短辺を構成する１組の枠部材１３２のうちの一方の枠部材側の連動ギアは、モータ３０１に連結されている。これにより、モータ３０１を駆動することによって、各連動ギアを回転させることができる。具体的に、モータ３０１を正回転すると、各連動ギアが正回転し、各連動ギアの回転が支持軸６２２を介してスラット６２１ａに伝達される。これにより、スラット６２１ａが支持軸６２２周りに回動する。
【００９６】
スラット６２１ａは、全遮蔽位置に位置づけられることにより、板面が太陽光パネル１１０の受光面と略平行になる。また、スラット６２１ａは、全開放位置に位置づけられることにより、板面が太陽光パネル１１０の受光面と略直交する。すなわち、スラット６２１ａの回転角度を最大で９０度の範囲内で調整することができる。
【００９７】
モータ３０１を正回転すると、各連動ギアが正回転し、各スラット６２１ａが全開放位置から全遮蔽位置に向かって回動する。これにより、太陽光パネル１１０における受光面に外光が入射する面積を小さくすることができる。また、モータ３０１を逆回転すると、各連動ギアが逆回転し、各スラット６２１ａが全遮蔽位置から全開放位置に向かって回動する。これにより、太陽光パネル１１０における受光面に外光が入射する面積を広げることができる。
【００９８】
以上説明したように、この発明にかかる実施の形態３の太陽光発電装置６００が備える太陽光発電量調整装置６２０は、遮蔽部材６２１が、平板形状をなすスラット６２１ａと、当該スラット６２１ａを板面に平行な軸心周りに回動可能に支持する支持軸６２２とを備え、駆動機構が、スラット６２１ａを支持軸６２２の軸心周りに回動させて受光面に対してスラット６２１ａの板面がなす角度を調整することにより遮蔽部材５２１を遮蔽位置または開放位置に位置づけることを特徴としている。
【００９９】
この発明にかかる実施の形態３の太陽光発電装置６００が備える太陽光発電量調整装置６２０によれば、スラット６２１ａの回転角度を最大で９０度の範囲内で調整することによって、太陽光パネル１１０の受光面に入射する光量を調整することができる。これにより、太陽光パネル１１０の受光面に入射する光量の調整にかかる時間を短く抑え、調整の制御にかかる負担軽減を図ることができる。
【０１００】
この発明にかかる実施の形態３の太陽光発電装置６００が備える太陽光発電量調整装置６２０は、遮蔽部材５２１が、複数設けられ、駆動機構が、複数の遮蔽部材５２１のそれぞれを遮蔽位置または開放位置に位置づけることを特徴としている。
【０１０１】
この発明にかかる実施の形態３の太陽光発電量調整装置６２０によれば、太陽光パネル１１０の受光面に入射する光量の調整に際しての、スラット６２１ａ１つ当たりの回転にかかる負荷を軽減することができる。これにより、太陽光パネル１１０の受光面に入射する光量の調整にかかる時間を短く抑え、調整の制御にかかる一層の負担軽減を図ることができる。
【０１０２】
上述した実施の形態１〜３においては、太陽光発電所における太陽光発電設備３１０ごとに、太陽光パネル１１０による発光量に基づいて、遮蔽部材１２１、５２１、６２１の開度を調整するようにしたが、開度の調整は太陽光発電所における太陽光発電設備３１０ごとにおこなうものにかぎらない。
【０１０３】
たとえば、遮蔽部材１２１を備えた太陽光発電装置１００（あるいは遮蔽部材５２１を備えた太陽光発電装置５００や、遮蔽部材６２１を備えた太陽光発電装置６００）と、当該太陽光発電装置１００が系統連系された電力系統における周波数を監視する監視装置（図示を省略する）と、を備えた電力系統システムを構成してもよい。
【０１０４】
この電力系統システムにおいて、太陽光発電装置１００（あるいは太陽光発電装置５００や太陽光発電装置６００）は、監視装置と通信をおこなう通信機構を備える。通信機構は、アンテナ、ＲＦ部、ベースバンド部などを備えた汎用的な無線通信装置によって実現することができる。あるいは、通信機構は、有線通信をおこなうものであってもよい。
【０１０５】
また、監視装置は、太陽光発電装置１００（あるいは太陽光発電装置５００や太陽光発電装置６００）と通信をおこなう通信機構を備える。監視装置と、太陽光発電装置１００（あるいは太陽光発電装置５００や太陽光発電装置６００）との通信は、暗号化されていてもよい。監視装置は、たとえば、電力系統を管理する電力会社の制御コンピュータによって実現することができる。
【０１０６】
このような電力系統システムにおいて、監視装置は、電力系統における周波数を監視し、周波数に基づいて、太陽光発電装置１００（あるいは太陽光発電装置５００や太陽光発電装置６００）と通信をおこなう。そして、太陽光発電装置１００（あるいは太陽光発電装置５００や太陽光発電装置６００）が備える太陽光パネル１１０による発電量に応じて、太陽光発電装置１００（あるいは太陽光発電装置５００や太陽光発電装置６００）に対して所定の制御信号を送信する。
【０１０７】
太陽光発電装置１００（あるいは太陽光発電装置５００や太陽光発電装置６００）は、監視装置との通信に基づいて太陽光発電量調整装置１２０（あるいは太陽光発電量調整装置５２０や太陽光発電量調整装置６２０）を駆動制御して、遮蔽部材１２１（あるいは遮蔽部材５２１や遮蔽部材６２１）を遮蔽位置または開放位置に位置づける。これにより、太陽光パネル１１０からの出力を、監視装置によって遠隔制御して調整することができる。
【０１０８】
そして、監視装置による遠隔制御により、太陽光パネル１１０からの出力を調整することにより、電力系統全体において、各太陽光発電所における既設の太陽光発電設備３１０における出力を、完全に停止することなく制御することができる。これにより、太陽光発電設備３１０を一層有効に利用して、再生可能エネルギーの活用促進を図ることができる。
【産業上の利用可能性】
【０１０９】
以上のように、この発明にかかる太陽光発電量調整装置は、太陽光パネルによる発電量を調整する太陽光発電量調整装置、太陽光発電装置および電力系統システムに有用であり、特に、太陽光パネルによる発電量を調整することにより、太陽光パネルによる発電量の増減に起因する電力系統における周波数の変動を抑制する太陽光発電量調整装置、太陽光発電装置および電力系統システムに適している。
【符号の説明】
【０１１０】
１００  太陽光発電装置
１１０  太陽光パネル
１２０  太陽光発電量調整装置
１２１  遮蔽部材
１３０  枠体
３０２  制御部
３１２  ＰＣＳ
５００  太陽光発電装置
５２０  太陽光発電量調整装置
５２１  遮蔽部材
６００  太陽光発電装置
６２０  太陽光発電量調整装置
６２１  遮蔽部材
【図１】
2020174440.tif 000003
【図２】
2020174440.tif 000004
【図３Ａ】
2020174440.tif 000005
【図３Ｂ】
2020174440.tif 000006
【図４】
2020174440.tif 000007
【図５】
2020174440.tif 000008
【図６】
2020174440.tif 000009
【図７】
2020174440.tif 000010